(57)【特許請求の範囲】
【請求項１】
上り方向の物理データチャネルと、前記上り方向の物理制御チャネルとの送信パワー比を用いて移動機を制御する無線基地局であって、
前記移動機が送信する前記物理データチャネルの送信フォーマットの組合せと、前記送信パワー比の決定に用いられ、前記移動機が送信する前記物理データチャネルの送信パワーのオフセット値である送信パワーオフセットとが対応付けられたテーブルを、前記移動機のカテゴリ毎に格納する格納部と、
前記移動機のカテゴリに対応するテーブルを参照して、前記送信フォーマットの組合せと対応付けられている送信パワーオフセットを前記テーブルの中から選択する選択部と、
前記選択部によって選択された前記送信パワーオフセット、及び選択された前記送信パワーオフセットと対応付けられている前記送信フォーマットの組合せに基づいて前記送信パワー比を決定し、決定した前記送信パワー比を用いて前記移動機の送信パワーを制御する基地局制御部と、
前記選択部によって選択された前記送信パワーオフセット、及び選択された前記送信パワーオフセットと対応付けられている前記送信フォーマットの組合せに基づいて、前記送信パワー比の決定に用いられる所定パラメータを無線ネットワーク制御装置に通知する通知部と
を備え、
前記通知部は、Ｒｅｆｅｒｅｎｃｅ  Ｅ−ＴＦＣＩ及び前記Ｒｅｆｅｒｅｎｃｅ  Ｅ−ＴＦＣＩと対応付けられているＲｅｆｅｒｅｎｃｅ  Ｅ−ＴＦＣＩ  ＰｏｗｅｒＯｆｆｓｅｔを含む前記所定パラメータを前記無線ネットワーク制御装置に通知する無線基地局。
【発明の詳細な説明】
【技術分野】
【０００１】
本発明は、上り方向の物理データチャネルと、上り方向の物理制御チャネルとの送信パワー比を用いて移動機を制御する無線通信システム、無線基地局及び移動機制御方法に関する。
【背景技術】
【０００２】
符号分割多元接続（CDMA）方式が用いられる第３世代携帯電話システムの仕様の検討及び作成を行うThird Generation Partnership Project（3GPP）において、上り方向の通信速度を向上させたEnhanced Uplink（EUL）が規定されている（例えば、非特許文献１）。
【０００３】
EULでは、物理データチャネル、具体的にはEnhanced Dedicated Physical Data Channel（E-DPDCH）や、物理制御チャネル、具体的にはEnhanced Dedicated Physical Control Channel（E-DPCCH）などの物理チャネルが用いられる。また、EULでは、移動機に対して許容できる最大のE-DPDCHとE-DPCCHとの送信パワー比が、Scheduling Grant（SG）として無線基地局から移動機に通知される。
【０００４】
無線基地局は、SGを決定する場合、移動機における送信フォーマットの組合せ（E-TFCI）それぞれについて、送信パワーオフセットであるβedを認識している必要がある。βedを演算するために必要なパラメータ（例えば、Reference E-TFCIやReference E-TFCI PowerOffset）は、Node B Application Part（NBAP）メッセージによって、無線ネットワーク制御装置（RNC）から無線基地局に通知される。また、当該パラメータは、Radio Resource Control（RRC）メッセージによって、RNCから移動機に通知される。
【非特許文献１】“3GPP TS 25.309 V.6.6.0 FDD Enhanced Uplink Overall description Stage 2 (Release 6)”、３ＧＰＰ、２００６年３月
【発明の開示】
【発明が解決しようとする課題】
【０００５】
しかしながら、上述したScheduling Grant（SG）の決定方法には、次のような問題があった。すなわち、無線基地局は、SGを決定する場合、RNCから通知されたパラメータに基づいて、移動機との間において生起された呼毎にそれぞれのE-TFCIにおけるβedを演算し、それぞれのSGとE-TFCIとの対応テーブルを作成しなければならない。或いは、無線基地局は、スケジューリング毎に無線基地局のリソースとして受信可能なTransport Block（TB）sizeに基づいて、SGを演算しなければならない。
【０００６】
このため、無線基地局では、SGの決定に必要な演算によって処理負荷が増大するといった問題がある。
【０００７】
そこで、本発明は、このような状況に鑑みてなされたものであり、既存の無線ネットワーク制御装置〜無線基地局間及び無線ネットワーク制御装置〜移動機間のメッセージを用いつつ、移動機に対して許容できる最大の物理データチャネル（E-DPDCH）と物理制御チャネル（E-DPCCH）との送信パワー比であるScheduling Grant（SG）の決定に関する処理負荷を低減することができる無線通信システム、無線基地局及び移動機制御方法を提供することを目的とする。
【課題を解決するための手段】
【０００８】
上述した問題を解決するため、本発明は、次のような特徴を有している。まず、本発明の第１の特徴は、上り方向の物理データチャネル（E-DPDCH）と、前記上り方向の物理制御チャネル（E-DPCCH）との送信パワー比（Scheduling Grant）を用いて移動機（移動機３００Ａ，３００Ｂ）を制御する無線基地局（無線基地局１００）と、前記無線基地局と接続され、前記無線基地局及び前記移動機を制御する無線ネットワーク制御装置（無線ネットワーク制御装置２００）とを含む無線通信システム（無線通信システム１０）であって、前記無線基地局は、前記移動機が送信する前記物理データチャネルの送信フォーマットの組合せ（E-TFCI）と、前記送信パワー比の決定に用いられ、前記移動機が送信する前記物理データチャネルの送信パワーのオフセット値である送信パワーオフセット（βed）とが対応付けられたテーブル（E-TFCI/βedテーブルＴＢ）を格納する格納部（テーブル格納部１１１）と、前記送信フォーマットの組合せと対応付けられている送信パワーオフセットを前記テーブルの中から選択する選択部（パラメータ選択部１０７）と、前記選択部によって選択された前記送信パワーオフセット、及び選択された前記送信パワーオフセットと対応付けられている前記送信フォーマットの組合せに基づいて、前記送信パワー比の決定に用いられる所定パラメータ（例えば、Reference E-TFCI及びReference E-TFCI PowerOffset）を前記無線ネットワーク制御装置に通知する通知部（ベースバンド信号処理部１０３及びネットワークＩ／Ｆ部１０５）とを備え、前記無線ネットワーク制御装置は、前記通知部によって通知された前記所定パラメータを受信する受信部（ネットワークＩ／Ｆ部２０１）と、前記受信部が受信した前記所定パラメータを含み、前記移動機の送信パワーの制御に用いられるパラメータを前記移動機に通知するパラメータ通知部（パラメータ通知部２０３）とを備えることを要旨とする。
【０００９】
このような無線通信システムによれば、無線基地局には、移動機が送信する物理データチャネルの送信フォーマットの組合せと、送信パワーオフセットとが対応付けられたテーブルが格納される。このため、無線基地局は、移動機との間において生起された呼毎にそれぞれの送信フォーマットの組合せにおける送信パワーオフセットを演算し、それぞれの送信パワー比と送信フォーマットの組合せとの対応テーブルを作成する必要がない。また、選択された送信パワーオフセットと対応付けられている送信フォーマットの組合せに基づいて、送信パワー比の決定に用いられる所定パラメータを、既存の無線ネットワーク制御装置〜無線基地局間、及び無線ネットワーク制御装置〜移動機間のメッセージを用いて送受信することができる。
【００１０】
すなわち、このような無線通信システムによれば、既存の無線ネットワーク制御装置〜無線基地局間及び無線ネットワーク制御装置〜移動機間のメッセージを用いつつ、移動機に対して許容できる最大の物理データチャネル（E-DPDCH）と物理制御チャネル（E-DPCCH）との送信パワー比であるScheduling Grant（SG）の決定に関する処理負荷を低減することができる。
【００１１】
本発明の第２の特徴は、上り方向の物理データチャネルと、前記上り方向の物理制御チャネルとの送信パワー比を用いて移動機を制御する無線基地局であって、前記移動機が送信する前記物理データチャネルの送信フォーマットの組合せと、前記送信パワー比の決定に用いられ、前記移動機が送信する前記物理データチャネルの送信パワーのオフセット値である送信パワーオフセットとが対応付けられたテーブルを格納する格納部と、前記送信フォーマットの組合せと対応付けられている送信パワーオフセットを前記テーブルの中から選択する選択部と、前記選択部によって選択された前記送信パワーオフセット、及び選択された前記送信パワーオフセットと対応付けられている前記送信フォーマットの組合せに基づいて前記送信パワー比を決定し、決定した前記送信パワー比を用いて前記移動機の送信パワーを制御する基地局制御部（通信制御部１０９）とを備えることを要旨とする。
【００１２】
本発明の第３の特徴は、本発明の第２の特徴に係り、前記選択部によって選択された前記送信パワーオフセット、及び選択された前記送信パワーオフセットと対応付けられている前記送信フォーマットの組合せに基づいて、前記送信パワー比の決定に用いられる所定パラメータを無線ネットワーク制御装置に通知する通知部を備えることを要旨とする。
【００１３】
本発明の第４の特徴は、本発明の第３の特徴に係り、前記通知部は、Reference E-TFCI及び前記Reference E-TFCIと対応付けられているReference E-TFCI PowerOffsetを含む前記所定パラメータを前記無線ネットワーク制御装置に通知することを要旨とする。
【００１４】
本発明の第５の特徴は、上り方向の物理データチャネルと、前記上り方向の物理制御チャネルとの送信パワー比を用いて移動機を制御する移動機制御方法であって、前記移動機が送信する前記物理データチャネルの送信フォーマットの組合せと、前記送信パワー比の決定に用いられ、前記移動機が送信する前記物理データチャネルの送信パワーのオフセット値である送信パワーオフセットとが対応付けられたテーブルに基づいて、前記送信フォーマットの組合せと対応付けられている送信パワーオフセットを選択するステップと、前記選択部によって選択された前記送信パワーオフセット、及び選択された前記送信パワーオフセットと対応付けられている前記送信フォーマットの組合せに基づいて前記送信パワー比を決定し、決定した前記送信パワー比を用いて前記移動機の送信パワーを制御するステップとを備えることを要旨とする。
【発明の効果】
【００１５】
本発明の特徴によれば、既存の無線ネットワーク制御装置〜無線基地局間及び無線ネットワーク制御装置〜移動機間のメッセージを用いつつ、移動機に対して許容できる最大のE-DPDCHとE-DPCCHとの送信パワー比であるScheduling Grant（SG）の決定に関する処理負荷を低減することができる無線通信システム、無線基地局及び移動機制御方法を提供することができる。
【発明を実施するための最良の形態】
【００１６】
次に、本発明の実施形態について説明する。具体的には、（１）無線通信システムの全体概略構成、（２）無線基地局の機能ブロック構成、（３）無線ネットワーク制御装置の機能ブロック構成、（４）無線通信システムの動作、（５）作用・効果及び（６）その他の実施形態について説明する。
【００１７】
なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（１）無線通信システムの全体概略構成
図１は、本実施形態に係る無線通信システム１０の全体概略構成図である。図１に示すように、無線通信システム１０は、無線基地局１００、無線ネットワーク制御装置２００（以下、ＲＮＣ２００）及び移動機３００Ａ，３００Ｂによって構成される。なお、無線通信システム１０に含まれる無線基地局や移動機の数は、図１に示す数に限定されない。
【００２０】
無線通信システム１０は、3rd Generation Partnership Project（3GPP）によって規定された無線通信方式、具体的には、W-CDMA方式を採用する。また、無線通信システム１０では、上り方向におけるデータの伝送速度を向上させたEnhanced UpLink（EUL）が導入されている。
【００２１】
無線基地局１００は、移動機３００Ａ，３００Ｂと無線通信を実行する。特に、本実施形態では、無線基地局１００は、移動機３００Ａ，３００Ｂが送信する無線信号の送信パワーをTransmission Time Interval（TTI）毎に制御する。具体的には、無線基地局１００は、上り方向の物理データチャネルであるEnhanced Dedicated Physical Data Channel（E-DPDCH）と、上り方向の物理制御チャネルであるEnhanced Dedicated Physical Control Channel（E-DPCCH）との送信パワー比、具体的には、Scheduling Grant（以下、SG）を用いて移動機３００Ａ，３００Ｂを制御する。
【００２２】
ＲＮＣ２００は、無線基地局１００と接続される。ＲＮＣ２００は、無線基地局１００及び移動機３００Ａ，３００Ｂを制御する。
【００２３】
特に、本実施形態では、ＲＮＣ２００は、Node-B Application Part(NBAP)を用いて、移動機３００Ａ，３００Ｂの送信パワーの制御に用いられるパラメータ（例えば、Reference E-TFCI PowerOffset）などを無線基地局１００から取得する。また、ＲＮＣ２００は、Radio Resource Control（RRC）を用いて、移動機３００Ａ，３００Ｂの送信パワーの制御に用いられるパラメータを移動機３００Ａ，３００Ｂに送信する。
【００２４】
移動機３００Ａ，３００Ｂは、無線基地局１００と無線通信を実行する。移動機３００Ａ，３００Ｂは、無線基地局１００による制御及びＲＮＣ２００から通知されたパラメータに基づいて、無線基地局１００に送信する無線信号の送信パワーを調整する。
【００２５】
（２）無線基地局の機能ブロック構成
図２は、無線基地局１００の機能ブロック構成図である。図２に示すように、無線基地局１００は、無線信号送受信部１０１、ベースバンド信号処理部１０３、ネットワークＩ／Ｆ部１０５、パラメータ選択部１０７、通信制御部１０９及びテーブル格納部１１１を備える。なお、以下、本発明との関連がある部分について主に説明する。したがって、無線基地局１００は、無線基地局１００としての機能を実現する上で必須な、図示しない或いは説明を省略したブロック（電源部など）を備える場合があることに留意されたい。
【００２６】
無線信号送受信部１０１は、W-CDMA方式に従った無線信号を移動機３００Ａ，３００Ｂと送受信する。また、無線信号送受信部１０１は、無線信号とベースバンド信号との変換を実行する。
【００２７】
ベースバンド信号処理部１０３は、ベースバンド信号の処理を実行する。特に、本実施形態では、ベースバンド信号処理部１０３は、パラメータ選択部１０７によって選択された送信パワーオフセットであるβed、及び選択されたβedと対応付けられている送信フォーマットの組合せ、具体的には、Enhanced-Transmission Format Combination Indicator（E-TFCI）に基づいて、SGの決定に用いられる所定パラメータ（例えば、Reference E-TFCI及びReference E-TFCI PowerOffset）をＲＮＣ２００に通知する。本実施形態では、ベースバンド信号処理部１０３とネットワークＩ／Ｆ部１０５によって通知部が構成される。
【００２８】
βedは、SGの決定に用いられ、移動機３００Ａ，３００Ｂが送信するE-DPDCHの送信パワーのオフセット値である。βedは、3GPP TS25.214  Section 5.1.2.5B.2.3において規定されるように、（１式）を用いて算出される。
【数１】
0005165397.tif 000002
ここで、iは、対象となるE-TFCIのインデックスである。また、refは、iの値を超えない最大のReference E-TFCIのインデックスである。
【００２９】
送信パワーオフセットβedの決定には、以下のパラメータが用いられる。
【００３０】
（i） Puncture Limit
（ii） Reference E-TFCI
（iii） Reference E-TFCI PowerOffset
（iv） E-DCH HARQ Offset
（v） Maximum Set of E-DPDCHs
（vi） E-TFCI Table Index
（vii） E-TTI
E-TFCI Table Index及びE-TTIは、送信パワーオフセットの演算に使用するE-TFCIのテーブルを定義（指定）するパラメータであり、送信パワーオフセットの演算には影響を与えない。なお、（１式）を用いた演算では、E-TFCI Table Index及びE-TTIによって、E-TFCIのテーブルが確定していることを前提とする。
【００３１】
（１式）において、枠Ａの部分は、Reference E-TFCI以外の各E-TFCIにおけるパワーオフセットを示す。枠Ｂの部分は、Reference E-TFCIでの送信パワーオフセット（Reference E-TFCI PowerOffset）を示す。
【００３２】
枠Cの部分は、使用コード数を示し、Puncture Limit及びMaximum Set of E-DPDCHsによって一意に決定される。枠Dの部分は、各E-TFCIにおけるTB Sizeを示し、E-TFCI Table Index及びE-TTIによって一意に決定される。枠Eの部分は、各E-TFCIにおいて、当該E-TFCI全体に適用される送信パワーオフセットを示し、E-DCH HARQ Offsetによって決定される。
【００３３】
なお、複数のE-DPDCHを使用する場合、例えば、SF=2の場合、E-DPDCHの送信パワーオフセットは、（2式）のとおりとなる。
【数２】
0005165397.tif 000003
すなわち、最終的な送信パワーオフセットの値は、それぞれのE-DPDCHにおける送信パワーオフセットを足した値となる。
【００３４】
また、ベースバンド信号処理部１０３は、上述したパラメータのうち、（i）〜（iv）を所定パラメータとしてＲＮＣ２００に通知する。
【００３５】
ネットワークＩ／Ｆ部１０５は、ＲＮＣ２００との通信を実行するためのネットワークインタフェースを提供する。具体的には、ネットワークＩ／Ｆ部１０５は、有線ＬＡＮインタフェースなどによって構成される。
【００３６】
パラメータ選択部１０７は、テーブル格納部１１１に格納されているE-TFCI/βedテーブルＴＢ（図５参照）の中から、E-TFCIと対応付けられているβedを選択する。本実施形態において、パラメータ選択部１０７は、選択部を構成する。
【００３７】
本実施形態では、パラメータ選択部１０７は、移動機（UE）のカテゴリ毎に、上述した（i）〜（iii）のパラメータを保持する。また、パラメータ選択部１０７は、上述した（iv）のパラメータについて、MAC-dフロー毎に無線通信システム１０として固定の値を保持する。このため、パラメータ選択部１０７は、演算することなくE-TFCI/βedテーブルＴＢとしてβedを保持することができる。
【００３８】
通信制御部１０９は、移動機３００Ａ，３００Ｂとの通信を制御する。特に、本実施形態では、通信制御部１０９は、パラメータ選択部１０７によって選択されたβed、及び選択されたβedと対応付けられているE-TFCIに基づいて移動機３００Ａ（３００Ｂ）が送信するE-DPDCHとE-DPCCHとの送信パワー比、具体的には、Scheduling Grant(SG)を決定する。
【００３９】
また、通信制御部１０９は、決定したSGを用いて移動機３００Ａ（３００Ｂ）の送信パワーを制御する。本実施形態において、通信制御部１０９は、基地局制御部を構成する。
【００４０】
テーブル格納部１１１は、E-TFCI/βedテーブルＴＢ（図５参照）を格納する。図５に示すように、E-TFCI/βedテーブルＴＢでは、E-TFCIと、βedとが対応付けられる。本実施形態では、E-TFCI/βedテーブルＴＢでは、移動機（UE）のカテゴリ毎（UEカテゴリ#2，#4，#6）に、各E-TFCI（E-TFCI 1〜125）に対応するβedとMAC-dフローとの組合せが示される。
【００４１】
E-TFCI/βedテーブルＴＢにおいて、βedに続く添え字は、MAC-dフローのID番号を示す。MAC-dフローは、８本まで設定可能である。例えば、MAC-d #1には論理チャネルとしてデータチャネル（DTCH）が設定され、MAC-d#2には制御チャネル（DCCH）が設定される。或いは、MAC-d #1、#2には、それぞれDTCHが設定され、MAC-d#3にはDCCHが設定されてもよい。
【００４２】
なお、UEカテゴリによって、用いられるTTIやＴＢ sizeが異なり、最大伝送速度も異なる。例えば、UEカテゴリ#6では、最大伝送速度が約5.76Mbpsになる。
【００４３】
また、図６は、3GPPにおいて規定されるAbsolute Grant Value Table（TS25.212 Table 16B）の例を示す。Absolute Grant Value Tableでは、Absolute Grant (AG)の値と、Enhanced-Absolute Grant Channel(E-AGCH)のインデックスとが対応付けられる。ここで、各E-TFCIに対応するβedに対して、（３式）を満足する最大のAGが、SGとして決定される。
【数３】
0005165397.tif 000004
なお、mは、UEカテゴリを示す。nは、E-TFCIのインデックスを示す。このように、各E-TFCIと、E-AGCHのインデックスとが対応付けられた固定のテーブルを、図５に示すE-TFCI/βedテーブルＴＢのように保持しておくことができる。
【００４４】
（３）無線ネットワーク制御装置の機能ブロック構成
図３は、ＲＮＣ２００の機能ブロック構成図である。図３に示すように、ＲＮＣ２００は、ネットワークＩ／Ｆ部２０１及びパラメータ通知部２０３を備える。なお、以下、本発明との関連がある部分について主に説明する。したがって、ＲＮＣ２００は、ＲＮＣ２００としての機能を実現する上で必須な、図示しない或いは説明を省略したブロック（電源部など）を備える場合があることに留意されたい。
【００４５】
ネットワークＩ／Ｆ部２０１は、無線基地局１００との通信、及び無線基地局１００を介した移動機３００Ａ，３００Ｂとの通信を実行するためのネットワークインタフェースを提供する。具体的には、ネットワークＩ／Ｆ部２０１は、有線ＬＡＮインタフェースなどによって構成される。
【００４６】
特に、本実施形態では、ネットワークＩ／Ｆ部２０１は、無線基地局１００（ベースバンド信号処理部１０３）によって通知された所定パラメータ、つまり、上述したパラメータのうち、（i）〜（iv）を受信する。本実施形態において、ネットワークＩ／Ｆ部２０１は、受信部を構成する。
【００４７】
パラメータ通知部２０３は、ネットワークＩ／Ｆ部２０１が受信したパラメータを含み、移動機３００Ａ（３００Ｂ）の送信パワーの制御に用いられるパラメータを移動機３００Ａ（３００Ｂ）に通知する。つまり、パラメータ通知部２０３は、βedの設定に必要なパラメータを移動機３００Ａ（３００Ｂ）に通知する。
【００４８】
具体的には、パラメータ通知部２０３は、Node-B Application Part(NBAP)を用いてネットワークＩ／Ｆ部２０１が受信した（i）〜（iv）のパラメータ（（i） Puncture Limit，（ii） Reference E-TFCI，（iii） Reference E-TFCI PowerOffset，（iv） E-DCH HARQ Offset）を取得する。また、パラメータ通知部２０３は、ネットワークＩ／Ｆ部２０１が受信した（i）〜（iv）のパラメータ、及び上述した（v）〜（vii）のパラメータ（（v） Maximum Set of E-DPDCHs，（vi） E-TFCI Table Index，（vii） E-TTI）を、Radio Resource Control（RRC）を用いて移動機３００Ａ（３００Ｂ）に通知する。
【００４９】
（４）無線通信システムの動作
次に、無線通信システム１０の動作について説明する。具体的には、無線基地局１００及びＲＮＣ２００が移動機３００Ａの送信パワーを制御する動作について説明する。
【００５０】
図４は、無線基地局１００及びＲＮＣ２００が移動機３００Ａの送信パワーを制御するために実行される通信シーケンスを示す。図４に示すように、ステップＳ１０において、移動機３００Ａは、無線基地局１００と無線信号を送受信するため、RRC Setup RequestをＲＮＣ２００に送信する。
【００５１】
ステップＳ２０において、ＲＮＣ２００は、移動機３００Ａから受信したRRC Setup Requestに基づいて、無線基地局１００に対して無線通信路（RL）の設定を要求する。具体的には、ＲＮＣ２００は、Node-B Application Part(NBAP)を用いて、RL Setup Requestを無線基地局１００に送信する。
【００５２】
ステップＳ３０において、無線基地局１００は、ＲＮＣ２００から受信したRL Setup Requestに基づいて、移動機３００Ａとの無線通信路（RL）の設定に必要なパラメータを選択し、選択したパラメータをＲＮＣ２００に通知する。
【００５３】
特に、本実施形態では、無線基地局１００は、βedの設定に必要なパラメータ、具体的には、（i） Puncture Limit，（ii） Reference E-TFCI，（iii） Reference E-TFCI PowerOffset，（iv） E-DCH HARQ OffsetをＲＮＣ２００に通知する。
【００５４】
無線基地局１００は、図５に示すE-TFCI/βedテーブルＴＢを参照して、βedの設定に必要なパラメータを選択する。無線基地局１００は、Node-B Application Part(NBAP)を用いて、選択したパラメータを含むRL Setup ResponseをＲＮＣ２００に送信する。
【００５５】
ステップＳ４０において、ＲＮＣ２００は、無線基地局１００から受信したRL Setup Responseに基づいて、βedの設定に必要なパラメータを移動機３００Ａに通知する。具体的には、ＲＮＣ２００は、Radio Resource Control（RRC）を用いて、上述した（i）〜（vii）のパラメータを含むRRC Setupを移動機３００Ａに送信する。
【００５６】
ステップＳ５０において、移動機３００Ａは、ＲＮＣ２００から受信したRRC Setupに基づいて、βedを設定し、RRC SetupをＲＮＣ２００に送信する。なお、移動機３００Ａは、設定したβedに従って無線基地局１００に送信する無線信号の送信パワーを制御する。
【００５７】
（５）作用・効果
無線通信システム１０によれば、無線基地局１００には、移動機３００Ａ（３００Ｂ）が送信するE-DPDCHのE-TFCIと、βedとが対応付けられたE-TFCI/βedテーブルＴＢが格納される。このため、無線基地局１００は、移動機３００Ａ（３００Ｂ）との間において生起された呼毎にそれぞれのE-TFCIにおけるβedを演算し、それぞれのSGとE-TFCIとの対応テーブルを作成する必要がない。また、選択されたβedと対応付けられているE-TFCIに基づいて、SGの決定に用いられる所定パラメータを、既存の無線ネットワーク制御装置〜無線基地局間、及び無線ネットワーク制御装置〜移動機間のメッセージを用いて送受信することができる。
【００５８】
すなわち、無線通信システム１０によれば、既存の無線ネットワーク制御装置〜無線基地局間及び無線ネットワーク制御装置〜移動機間のメッセージを用いつつ、SGの決定に関する処理負荷を低減することができる。
【００５９】
（６）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６０】
例えば、上述した本発明の実施形態では、E-TFCI/βedテーブルＴＢでは、UEカテゴリ#2，#4，#6に、各E-TFCI（E-TFCI 1〜125）に対応するβedと、データチャネル（DTCH）及び制御チャネル（DCCH）との組合せが示される形態としたが、E-TFCI/βedテーブルＴＢは、E-TFCIとβedとが対応付けられいれば、必ずしも図５のようなフォーマットでなくてもよい。
【００６１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００６２】
【図１】本発明の実施形態に係る無線通信システム１０の全体概略構成図である。
【図２】本発明の実施形態に係る無線基地局１００の機能ブロック構成図である。
【図３】本発明の実施形態に係る無線ネットワーク制御装置２００の機能ブロック構成図である。
【図４】本発明の実施形態に係る無線基地局１００及びＲＮＣ２００が移動機３００Ａの送信パワーを制御するために実行される通信シーケンスを示す図である。
【図５】本発明の実施形態に係るE-TFCI/βedテーブルＴＢの一例を示す図である。
【図６】において規定されるAbsolute Grant Value Table（TS25.212 Table 16B）の例を示す図である。
【符号の説明】
【００６３】
１０…無線通信システム、１００…無線基地局、１０１…無線信号送受信部、１０３…ベースバンド信号処理部、１０５…ネットワークＩ／Ｆ部、１０７…パラメータ選択部、１０９…通信制御部、１１１…テーブル格納部、２００…無線ネットワーク制御装置、２０１…ネットワークＩ／Ｆ部、２０３…通信制御部、３００Ａ，３００B…移動機、ＴＢ…E-TFCI/βedテーブル
【図１】
0005165397.tif 000005
【図２】
0005165397.tif 000006
【図３】
0005165397.tif 000007
【図４】
0005165397.tif 000008
【図５】
0005165397.tif 000009
【図６】
0005165397.tif 000010